(57)【要約】【課題】経年変化によって割れ目が生じて破損したり浮き上がったりすることがなく、水に濡れても滑りにくい軽量な歩行者誘導ブロックを提供する。【解決手段】ゴムチップを用いて平板状に成型され歩道に埋め込まれて歩行者を誘導する歩行者誘導ブロック１において、裏面には下地のグラウト１１に係止される係止部である引っ掛かり部３が形成されているので、割れ目が生じて破損したり浮き上がったりすることがなく、水に濡れても滑りにくい軽量な歩行者誘導ブロック１とすることができ、歩行者誘導ブロック１を下地のグラウト１１に確実に係止させて、歩行者誘導ブロック１がグラウト１１から剥がれることを防止することができる。【選択図】図７
2014159722.tif 000002
【特許請求の範囲】
【請求項１】
ゴムチップを用いて平板状に成型され歩道に埋め込まれて歩行者を誘導する歩行者誘導ブロックにおいて、
裏面には下地のグラウトに係止される係止部が形成されていることを特徴とする歩行者誘導ブロック。
【請求項２】
前記係止部は凸状に形成され下地のグラウトに引っ掛かる引っ掛かり部を備えていることを特徴とする請求項１に記載の歩行者誘導ブロック。
【請求項３】
前記係止部は下地のグラウトが入り込んで引っ掛かる引っ掛かり部を備えた溝部であることを特徴とする請求項１に記載の歩行者誘導ブロック。
【請求項４】
表面には点字が形成されていることを特徴とする請求項１〜３の内いずれか１項に記載の歩行者誘導ブロック。
【請求項５】
表面側の層がＥＰＤＭカラーゴムチップによって形成され、裏面側の層がリサイクルゴムチップによって形成されていることを特徴とする請求項１〜４の内いずれか１項に記載の歩行者誘導ブロック。
【請求項６】
歩行者誘導ブロックが敷設される範囲を特定して墨出しをする第１工程と、
前記墨出しされた範囲のアスファルトや土砂を除去して溝部を形成する第２工程と、
前記溝部にグラウトを流し込む第３工程と、
グラウトが流し込まれた溝部に歩行者誘導ブロックを配置する第４工程と、
前記歩行者誘導ブロックに押さえ治具を載置して歩行者誘導ブロックをグラウト側に押圧し歩行者誘導ブロックの上面を溝部の周縁部と面一にする第５工程とを備えた歩行者誘導ブロックの施工方法。
【発明の詳細な説明】
【技術分野】
【０００１】
本発明は、駅構内のプラットホームなどの歩道に設置されて歩行者を誘導する歩行者誘導ブロックおよびその施工方法に関するものである。
【背景技術】
【０００２】
駅構内のプラットフォームなどに設置され視力障害者を誘導する点字ブロックとしてコンクリート製のものが知られており、特許文献１には点字ブロックを表面に固着する平板ブロックが開示されている。この平板ブロックは、コンクリート製のブロック片が金網を用いて連結されたものであり、敷設面がうねった曲面状であっても曲面状の敷設面に沿わせて敷設可能である。
【先行技術文献】
【特許文献】
【０００３】
【特許文献１】特開２００３−２３９２３０号公報
【発明の概要】
【発明が解決しようとする課題】
【０００４】
従来用いられているコンクリート製点字ブロックは、経年変化によって割れ目が生じたり路面から浮き上がったりすることがあり、雨天時には雨に濡れて滑りやすくなるという問題があった。さらに古い点字ブロックを取り除いて新しい点字ブロックを敷設する場合には、はつった古い点字ブロックを搬出して新しい点字ブロックを搬入するために多大な労力を要している。
【０００５】
特許文献１に記載の点字ブロック用平板ブロックは、うねった曲面に沿って敷設することはできても、コンクリート製なので経年変化によるブロック片の割れや浮き上がりが起こり、雨天時に歩行者が滑って転倒するおそれがある。
【０００６】
本発明の目的は、経年変化によって割れ目が生じて破損したり浮き上がったりすることがなく、水に濡れても滑りにくい軽量な歩行者誘導ブロックを提供することである。
【課題を解決するための手段】
【０００７】
この課題を解決するために請求項１に係る発明は、ゴムチップを用いて平板状に成型され歩道に埋め込まれて歩行者を誘導する歩行者誘導ブロックにおいて、
裏面には下地のグラウトに係止される係止部が形成されていることを特徴とするものである。
【０００８】
請求項２に係る発明は、前記係止部は凸状に形成され下地のグラウトに引っ掛かる引っ掛かり部を備えていることを特徴とするものである。
請求項３に係る発明において、前記係止部は下地のグラウトが入り込んで引っ掛かる引っ掛かり部を備えた溝部であることを特徴とするものである。
請求項４に係る発明において、表面には点字が形成されていることを特徴とするものである。
請求項５に係る発明では、表面側の層がＥＰＤＭカラーゴムチップによって形成され、裏面側の層がリサイクルゴムチップによって形成されていることを特徴とするものである。
請求項６に係る発明では、歩行者誘導ブロック１が敷設される範囲を特定して墨出しをする第１工程と、前記墨出しされた範囲のアスファルトや土砂を除去して溝部を形成する第２工程と、前記溝部にグラウトを流し込む第３工程と、グラウトが流し込まれた溝部に歩行者誘導ブロックを配置する第４工程と、前記歩行者誘導ブロックに押さえ治具を載置して歩行者誘導ブロックをグラウト側に押圧し歩行者誘導ブロックの上面を溝部１３の周縁部と面一にする第５工程とを備えている。
【発明の効果】
【０００９】
請求項１記載の発明によれば、ゴムチップを用いて形成するので、割れ目が生じて破損したり浮き上がったりすることがなく、水に濡れても滑りにくい軽量な点字ブロックとすることができる。裏面には、係止部が形成されているので、点字ブロックを下地のグラウトに確実に係止させて、点字ブロックがグラウトから剥がれることを防止することができる。
【００１０】
請求項２記載の発明によれば、係止部は凸状に形成され下地のグラウトに引っ掛かる引っ掛かり部を備えているので、係止部を下地のグラウトに確実に係止させることができる。
【００１１】
請求項３記載の発明によれば、係止部は下地のグラウトに入り込んで引っ掛かる引っ掛かり部を備えた溝部であるので、係止部を下地のグラウトに確実に係止させることができる。
【００１２】
請求項４記載の発明によれば、表面には点字が形成されているので、視覚障害者を誘導することができる。
請求項５記載の発明によれば、表面側の層がＥＰＤＭカラーゴムチップによって形成され、裏面側の層がリサイクルゴムチップによって形成されているので、表面側の層はＥＰＤＭカラーゴムチップを用いて所望の色に着色することができ、裏面側の層をリサイクルゴムチップで形成してコストダウンを図ることができる。
【００１３】
請求項６記載の発明によれば、溝に流し込まれるグラウトのレベルを歩行者誘導ブロックに合わせて調整する必要がない。グラウトに配置された歩行者誘導ブロックに押さえ治具を載置して、簡単に歩行者誘導ブロックの上面を溝部１３の周縁部と面一にすることができる。
【図面の簡単な説明】
【００１４】
【図１】本発明の第１の実施形態に係る歩行者誘導ブロックの斜視図である。
【図２】同歩行者誘導ブロックを裏面側から見た斜視図である。
【図３】同図２のＡ−Ａ断面図である。
【図４】同グラウトが注入された溝部の斜視図である。
【図５】同図４のＢ−Ｂ断面図である。
【図６】同溝部に５つの点字ブロックが隣接して配置され、点字ブロックと溝部との隙間にグラウトが注入された状態の斜視図である。
【図７】同図６のＣ−Ｃ断面図である。
【図８】同点字ブロックの上面に押さえ治具が載置された状態の斜視図である。
【図９】同点字ブロックの上面に押さえ治具が載置された状態のＤ−Ｄ断面図である。
【図１０】本発明の第２の実施形態に係る歩行者誘導ブロックを裏面側から見た斜視図である。
【図１１】同図１０のＥ−Ｅ断面図である。
【図１２】同歩行者誘導ブロックの断面図である。
【図１３】本発明の第３の実施形態に係る歩行者誘導ブロックの斜視図である。
【発明を実施するための形態】
【００１５】
以下、本発明の第１の実施の形態について図１〜図９に基づいて説明する。歩行者誘導ブロック１は、平面視が長方形の板状である本体部２を備え、本体部２の裏面には凸状に形成された引っ掛かり部３が設けられる。引っ掛かり部３は係止部である。本体部２は、ＥＰＤＭカラーゴムチップによって形成され表面側に位置する表面側の層４と、リサイクルゴムチップによって形成され裏面側に位置する裏面側の層５とを備えている。ＥＰＤＭカラーゴムチップおよびリサイクルゴムチップにはウレタン樹脂などのバインダー６が添加されて板状に固着され、引っ掛かり部３は裏面側の層５に設けられている。
【００１６】
本体部２の表面には、複数個の円錐台状の凸部７と、細長な四角錐台状の凸部８とが一体成型されており、これらの凸部７，８によって点字９が構成されている。本体部２の裏面に形成される引っ掛かり部３は、先端に向かって幅広な四角錐台状に形成されている。本実施の形態において、引っ掛かり部３は４個所に設けられており、敷設された歩行者誘導ブロック１は、引っ掛かり部の傾斜した４つの側面１０が下地のグラウト１１に引っ掛かり、歩行者誘導ブロック１の剥離が防止される。引っ掛かり部３は歩行者誘導ブロック１と一体成型される。
【００１７】
なお、引っ掛かり部３は四角錐台状のものに限定されるものではなく、たとえば先端に向かって拡径された円錐台状のものでもよい。本体部２の表面には視力障害者を誘導する点字９が形成されているが、これに限定されるものではなく、たとえば本体部２の表面側の層４を着色し、あるいは図形、文字などを表示して歩行者を目的地に誘導することもできる。
【００１８】
ここで、路面１２にゴムチップ製の歩行者誘導ブロック１を敷設する手順について説明する。まず、歩行者誘導ブロック１を敷設するたとえば長尺な長方形状の範囲を特定して墨出しをする。アスファルトカッターを用いて墨出しした線に沿ってアスファルトを切断し、歩行者誘導ブロック１が敷設される範囲のアスファルトを掘削・除去して溝部１３を形成する。形成された溝部１３にはグラウト１１が流し込まれる。グラウト１１が流し込まれた溝部１３の斜視図を図４に示し、図４のＢ−Ｂ断面図を図５に示す。
【００１９】
次に、グラウト１１が流し込まれた溝部１３に、歩行者誘導ブロック１を５つ隣接して配置する。隣接して配置された歩行者誘導ブロック１の側面１４と溝部１１の側面１５との隙間にグラウト１１を注入する。このときの斜視図を図６に示し、図６のＣ−Ｃ断面図を図７に示す。
【００２０】
ゴムチップ製の歩行者誘導ブロック１は、グラウト１１よりも比重が小さいので、グラウト１１の上部に浮き上がり、歩行者誘導ブロック１の上面は溝部１３の周縁部から上方に突出している。
【００２１】
この歩行者誘導ブロック１の上面には、たとえば金属製の板材を溶接して形成した押さえ治具１６が載置される。このときの斜視図を図８に示し、断面図を図９に示す。押さえ治具１６は、自重で歩行者誘導ブロック１を下方のグラウト１１側に押圧する。歩行者誘導ブロック１がグラウト１１側に押圧されると、押さえ治具１６の両端部１８，１８が溝部１３の周縁部２０に当接し、歩行者誘導ブロック１は、上面１９が溝部１３の周縁部２０と面一になった状態で位置決めされる。
【００２２】
これによって下地のグラウト１１のレベルを調整することなく、容易に歩行者誘導ブロック１の上面１９を溝部１３の周縁部２０のレベルに合わすことができる。このとき、引っ掛かり部３の側面１０がグラウト１１に埋め込まれて係止される。なお、押さえ治具１６には、歩行者誘導ブロック１の点字９を構成する細長な四角錐台状の凸部８に接触しないようにするために逃がし部２１が形成されている。
【００２３】
本発明の第２の実施の形態について図１０，図１１に基づいて説明する。第１の実施の形態についての説明と重複する部分については、説明を省略し同一の参照符を用いる。本実施の形態において、係止部は、本体部２の裏面に一定の間隔を設けて複数個所に形成される溝部２５である。溝部２５は、両側面２６，２６が開口部に向かって幅狭になるように傾斜したアリ溝状の断面を備えており、両側面２６，２６が下地のグラウト１１に引っ掛かり、歩行者誘導ブロック１の剥離が防止される。側面２６，２６は引っ掛かり部である。
【００２４】
溝部２５は、両側面２６，２６が開口部に向かって幅狭になるように傾斜したアリ溝状のものに限定されるものではなく、たとえば図１２に示すように溝部２７の傾斜した両側面２８，２８が平行なものでも良い。
【００２５】
溝部２５，２７は一定の間隔を設けて複数個所に互いに平行に形成されているが、これに限定されるものではなく、たとえば溝部２５，２７は直角に交差した状態で形成することもできる。
【００２６】
本発明の第３の実施の形態について図１３に基づいて説明する。歩行者誘導ブロック３１は、たとえば図１に示す歩行者誘導ブロック１を一列に３つ連結した一体形状とすることができる。このように歩行者誘導ブロック３１を一体的に連結することによって敷設される歩行者誘導ブロック３１の個数を減らすことができる。なお、歩行者誘導ブロック３１はコンクリートよりも比重が小さいゴムチップによって形成されるので、歩行者誘導ブロック３１を大型化した場合であっても、過大な労力を要することなく運搬することができる。
【００２７】
このように、ゴムチップを用いて平板状に成型され歩道に埋め込まれて歩行者を誘導する歩行者誘導ブロック１において、裏面には下地のグラウト１１に係止される係止部である引っ掛かり部３が形成されている。歩行者誘導ブロック１はゴムチップを用いて形成されるので、割れ目が生じて破損したり浮き上がったりすることがなく、水に濡れても滑りにくい軽量な歩行者誘導ブロック１とすることができる。裏面には、引っ掛かり部３が形成されているので、歩行者誘導ブロック１を下地のグラウト１１に確実に係止させて、歩行者誘導ブロック１がグラウト１１から剥がれることを防止することができる。
【００２８】
さらに、係止部は凸状に形成され下地のグラウト１１に引っ掛かる引っ掛かり部３を備えているので、係止部を下地のグラウト１１に確実に係止させることができる。
さらに、係止部は下地のグラウト１１が入り込んで引っ掛かる引っ掛かり部である側面２６，２６を備えた溝部２５であるので、係止部を下地のグラウト１１に確実に係止させることができる。
【００２９】
さらに、表面には点字９が形成されているので、視覚障害者を誘導することができる。
さらに、表面側の層４がＥＰＤＭカラーゴムチップによって形成され、裏面側の層５がリサイクルゴムチップによって形成されているので、表面側の層４はＥＰＤＭカラーゴムチップを用いて所望の色に着色することができ、裏面側の層５をリサイクルゴムチップで形成してコストダウンを図ることができる。
【００３０】
さらに、歩行者誘導ブロック１が敷設される範囲を特定して墨出しをする第１工程と、前記墨出しされた範囲のアスファルトや土砂を除去して溝部１３を形成する第２工程と、前記溝部１３にグラウト１１を流し込む第３工程と、グラウト１１が流し込まれた溝部１３に歩行者誘導ブロック１を配置する第４工程と、前記歩行者誘導ブロック１に押さえ治具１６を載置して歩行者誘導ブロック１をグラウト１１側に押圧し歩行者誘導ブロック１の上面１９を溝部１３の周縁部２０と面一にする第５工程とを備えている。これによって、溝部１３に流し込まれるグラウト１１のレベルを歩行者誘導ブロック１に合わせて調整する必要がなく、グラウト１１に配置された歩行者誘導ブロック１に押さえ治具１６を載置して、簡単に歩行者誘導ブロック１の上面１９を溝部１３の周縁部２０と面一にすることができる。
【符号の説明】
【００３１】
１，３１    歩行者誘導ブロック
２    本体部
３    引っ掛かり部
４    表面側の層
５    裏面側の層
６    バインダー
７，８    凸部
９    点字
１０    側面
１１    グラウト
１２    路面
１３    溝部
１４，１５    側面
１６    押さえ治具
１８    端部
１９    上面
２０    周縁部
２１    逃がし部
２５，２７    溝部
２６，２８    側面
【図１】
2014159722.tif 000003
【図２】
2014159722.tif 000004
【図３】
2014159722.tif 000005
【図４】
2014159722.tif 000006
【図５】
2014159722.tif 000007
【図６】
2014159722.tif 000008
【図７】
2014159722.tif 000009
【図８】
2014159722.tif 000010
【図９】
2014159722.tif 000011
【図１０】
2014159722.tif 000012
【図１１】
2014159722.tif 000013
【図１２】
2014159722.tif 000014
【図１３】
2014159722.tif 000015